(57)【要約】【課題】  本発明は、種々の処理を行いながら、現在選局している映像情報を視聴することができる記録再生装置を提供することを目的とする。【解決手段】  本発明の記録再生装置は、第1の受信手段により受信し出力手段に出力している映像情報の受信が中断される場合に、第2の受信手段により、第1の受信手段により受信している前記映像情報を受信するともに、第2の受信手段による映像信号を出力手段から出力するように制御する制御手段を備えたことを特徴とする。【選択図】  図２
2007124251.tif 000002
【特許請求の範囲】
【請求項１】
映像情報を受信する第1及び第2の受信手段と、
前記第1及び第2の受信手段により受信された前記映像情報を表示手段に表示するように
、前記表示手段に出力する出力手段と、
前記第1の受信手段により受信し前記出力手段に出力している前記映像情報の受信が中
断される場合に、前記第2の受信手段により、前記第1の受信手段により受信している前記
映像情報を受信するともに、前記第2の受信手段による前記映像信号を前記出力手段から
出力するように制御する制御手段と
を備えたことを特徴とする記録再生装置。
【請求項２】
前記第1の受信手段により受信し前記出力手段に出力している前記映像情報の受信が中
断される場合、前記映像情報の出力を継続するか否かを確認する画面を前記出力手段に出
力させることを特徴とする請求項１記載の記録再生装置。
【発明の詳細な説明】
【技術分野】
【０００１】
本発明は、映像情報を記録，再生可能な記録再生装置に関する。
【背景技術】
【０００２】
DVDドライブ及びHDDを備えるとともに、映像信号を受信するチューナを2つ備えた記録
再生装置が知られている。該装置がTVに接続され、ユーザがTVへの入力切り換えで、記録
再生装置を選択すると、TVの画面には記録再生装置のチューナ1若しくはチューナ2からの
映像信号が表示される。この状態において、ユーザがチューナ1のチャンネル1の映像情報
(例えば、映像情報Aとする)を視聴している際に、チャンネル2の予約録画が開始されると
その数分前から強制的にチャンネル2に切り換えられる。このため、ユーザがチャンネル1
を視聴するためには、ユーザが記録再生装置のチューナ2に切り換えるとともに、該チュ
ーナ2をチャンネル1に設定する必要があった。または、ユーザがTVへの入力切り換えで、
TVを選択し、TVのチューナをチャンネル1に設定する必要があった。このように、ユーザ
が所望のチャンネルの映像信号を視聴するためには、装置，チャンネルを切り換えなけれ
ばならないという問題点があった。
【０００３】
なお、複数のチューナ手段を有し録画機能を有する装置において、各種機能についてチ
ューナ手段の割り当てに優先順位を設定することは知られている。
【特許文献１】特開2004-64478公報
【発明の開示】
【発明が解決しようとする課題】
【０００４】
しかし、従来の装置は、第1チューナ部を視聴機能(高優先順位)及び自動機能用(低優先
順位)，第2チューナ部をユーザ録画機能(高優先順位)及び自動機能用(低優先順位)とし、
各チューナ部で各々高優先順位の処理を優先するが、例えば第1チューナ部でユーザが視
聴を行っている場合、予約録画が行われると視聴は中止され予約録画が行われる。即ち、
ユーザの視聴は中止されてしまうという問題点があった。
【０００５】
本発明は、種々の処理を行いながら、現在選局している映像情報を視聴することができ
る記録再生装置を提供することを目的とする。
【課題を解決するための手段】
【０００６】
上記目的を達成するために、本発明の記録再生装置は、映像情報を受信する第1及び第2
の受信手段と、
前記第1及び第2の受信手段により受信された前記映像情報を表示手段に表示するように
、前記表示手段に出力する出力手段と、
前記第1の受信手段により受信し前記出力手段に出力している前記映像情報の受信が中
断される場合に、前記第2の受信手段により、前記第1の受信手段により受信している前記
映像情報を受信するともに、前記第2の受信手段による前記映像信号を前記出力手段から
出力するように制御する制御手段と
を備えたことを特徴とする。
【０００７】
そして、第1の受信手段により受信している映像情報が予約録画等により中断した場合
でも、第2の受信手段により同じ映像信号を得ることができるので、ユーザは継続して映
像信号を視聴することができる。
【０００８】
また、前記第1の受信手段により受信し前記出力手段に出力している前記映像情報の受
信が中断される場合、前記映像情報の出力を継続するか否かを確認する画面を前記出力手
段に出力させることを特徴とする
【発明の効果】
【０００９】
本発明によれば、種々の処理を行いながら、現在選局している映像情報を視聴すること
ができる。
【発明を実施するための最良の形態】
【００１０】
以下、図面を参照して本発明の実施の形態を説明する。
【００１１】
図１は、本発明に係る実施形態を備えた記録再生装置10の概略ブロック図である。
【００１２】
図１において、記録再生装置１０には、いわゆる地上波放送の受信チューナ（以下、地
上波チューナ(1)と略称する：チューナ(1)）１が内蔵され、この地上波チューナ(1)1には
、アンテナ端子１１に接続される地上波放送の受信アンテナ（以下、地上波アンテナと略
称する）２０からの受信信号が供給される。
【００１３】
また、地上波アンテナ20には、アンテナ端子12を介して地上波放送の受信チューナ（以
下、地上波チューナ(2)と略称する：チューナ(2)）31が接続され、地上波チューナ(1)1と
は異なるチャンネルの受信信号を受信することができる。
【００１４】
なお、地上波アンテナ20，地上波チューナ(1)1，地上波チューナ(2)31に代えて、衛星
（ＢＳ／ＣＳ）放送の受信アンテナ，衛星放送の受信チューナ（ＢＳ／ＣＳチューナ）を
2つ備え、受信復調されたデジタルデータ信号と、さらにデコードされたアナログテレビ
ジョン信号を受信してもよい。
【００１５】
また、記録再生装置１０に内蔵の地上波チューナ(1)1で受信復調されるアナログテレビ
ジョン信号から、重畳されたＥＰＧのデータが取り出されて、制御ＣＰＵ２に供給される
。この地上波のＥＰＧのデータ（番組データ）から電子番組表が形成される。
【００１６】
さらに、記録再生装置１０を構成する通信部１６からのネットワーク接続端子１７はイ
ンターネット等から成るネットワーク７０を介して接続され、制御ＣＰＵ２からのアクセ
スによりＥＰＧデータ（番組データ）が取得され、電子番組表が形成される。
【００１７】
そして、上記電子番組表を用いて、ユーザがリモートコントロール装置５０を操作し、
リモートコントロール装置５０の出力を記録再生装置１０に設けられたリモートコントロ
ール受信器１５が受信し、制御ＣＰＵ２に供給されることにより、記録したい番組の放送
時間帯と放送チャンネル等が設定されると、設定された内容に応じてHDD３が駆動される
と共に、地上波チューナ(1)1及び地上波チューナ(2)31に選局等の制御信号が供給される
。これによって、地上波チューナ(1)1及び地上波チューナ(2)31で、受信復調されたテレ
ビジョン信号の映像信号及び音声信号等がHDD３に記録される。なお、HDD３での記録再生
にあたっては、周知のＡ／Ｄ、Ｄ／Ａ変換等が行われるが、図示は省略する。
【００１８】
さらに、HDD３に記録されたテレビジョン信号の映像信号及び音声信号等が、制御ＣＰ
Ｕ２の制御に従って再生され、混合器４を通じて出力端子１４に取り出される。そして出
力端子１４に取り出された信号は、受像機(TV)４０に供給されて、映像信号の表示及び音
声信号の出力等が行われる。また、DVDドライブ30を備えており、光ディスク100(例えば
、DVD-RAMのような書き換え可能なディスクや、DVD-Videoのような再生専用のディスク)
が挿入されると、DVD-RAMディスクの場合は、制御ＣＰＵ２の制御により、HDD3に記録さ
れた映像信号を記録させることができる。DVD-Videoディスクの場合は、光ディスク100に
記録されている映像信号及び音声信号が制御ＣＰＵ２を介してTV４０に出力される。
【００１９】
次に、図２の装置動作説明図及び図３のフローチャート，図４の画面例について説明す
る。
【００２０】
ユーザがチューナ(2)31でチャンネル1を選択し、チャンネル1の映像情報AをTV40で視聴
していると仮定する(図２(a)の状態)。該状態で、数分後(例えば、5分後)に記録再生装置
10でチューナ(2)31を使用してチェンネルBの映像信号Bの番組録画が予約されている場合
、制御CPU2は図２のフローを実行する。ステップS1で、予約準備中イベントか否かをチェ
ックし、YESであればステップS2に進む。なお、予約準備中イベントとは、例えば、録画
予約開始5分前になると、記録再生装置10は、HDD3及びDVDドライブ30の電源をONするとと
もに、TV40の画面に予約録画を行う旨の表示を行うことである。ステップS2では、ユーザ
が現在視聴している映像情報Aを継続視聴したいか否かを確認するために、例えば図４に
示すような画面を表示させ、継続して視聴するか否かを問い合わせる。ユーザは、リモー
トコントロール装置50を操作しいずれかを選択するとその選択結果はリモートコントロー
ル受信器15を介して制御CPU2に伝達される。制御CPU2において、継続視聴が有効とされる
(ステップS2)と、チューナに空きがあるか否かをチェックする(ステップS3)。具体的には
チューナ(1)1に予約録画がなされていないか否か，EPG取得中か否かをチェックする。ス
テップS3でYESであれば、制御CPU2は、チューナ(1)1をチューナ(2)31と同じチャンネル(
チャンネル1)に選局する(ステップS4)。そして、ステップS5で、チューナ(2)31の出力に
代えて、チューナ(1)1によるチャンネル1の映像信号AをTV40に出力するように切り換える
。これにより、図２(a)の状態から図２(b)の状態に変更する。つまり、チューナ(2)31で
は予約録画で指定されたチャンネル2の映像信号Bを受信するとともに、映像信号BはHDD3
に記録されるとともに、ユーザが視聴していたチャンネル1の映像信号Aは、チューナ(1)1
で継続してTV40に出力することができる。これにより、ユーザは記録再生装置10，TV40の
設定，チャンネル切り換えを行うことなく、継続して所望の映像信号を視聴することがで
きる。
【００２１】
なお、ステップS1，S2，S3でNOの場合には、継続視聴はできないため、その場合は、そ
の旨をTV40に出力するとともに処理を終了する。
【図面の簡単な説明】
【００２２】
【図１】本発明の一実施の形態による記録再生装置の概略構成図。
【図２】同実施の形態にかかわる装置動作説明図。
【図３】同実施の形態にかかわるフローチャート。
【図４】同実施の形態にかかわる画面例。
【符号の説明】
【００２３】
１  地上波チューナ(1)：チューナ(1)
２  制御ＣＰＵ
３  HDD
１０  記録再生装置
３１  地上波チューナ(2)：チューナ(2)
４０  受像機(TV)
５０  リモートコントロール装置
【図１】
2007124251.tif 000003
【図２】
2007124251.tif 000004
【図３】
2007124251.tif 000005
【図４】
2007124251.tif 000006